(57)【要約】  屋外の電源設備のない場所で用いることができる可搬型の移設自在な発光装置を提供することを目的とする。本発明の発光装置は、少なくとも１つの可撓性の発光部と、少なくとも１つの可撓性の発電部と、発光部へ給電するために発光部に接続されている第１の導電路と、発電部において生成された電力を取り出すために発電部に接続されている第２の導電路と、発光部、発電部、第１の導電路及び第２の導電路を封止する透光性を有する可撓性の封止シートと、を含むことを特徴とする。
2012157075.tif 000002
【特許請求の範囲】
【請求項１】
給電下において発光する少なくとも１つの可撓性の発光部と、
光の照射を受けて起電力を生じる少なくとも１つの可撓性の発電部と、
前記発光部へ給電するために前記発光部に接続されている第１の導電路と、
前記発電部において生成された電力を取り出すために前記発電部に接続されている第２の導電路と、
前記発光部、前記発電部、前記第１の導電路及び前記第２の導電路を封止する透光性を有する可撓性の封止シートと、
を含むことを特徴とする発光装置。
【請求項２】
前記発光部及び前記発電部は扁平形状を有していることを特徴とする請求項１に記載の発光装置。
【請求項３】
前記発光部は、標識形状を有していることを特徴とする請求項１または２に記載の発光装置。
【請求項４】
標識形状を有して前記発光部の一部を被覆する遮光シートをさらに含むことを特徴とする請求項１または２に記載の発光装置。
【請求項５】
前記第１の導電路及び前記第２の導電路と外部装置とを接続するためのコネクタを有することを特徴とする請求項１乃至４のいずれか１つに記載の発光装置。
【請求項６】
前記発光部は有機ＥＬ素子からなることを特徴とする請求項１乃至５のいずれか１つに記載の発光装置。
【請求項７】
前記発電部は薄膜太陽電池からなることを特徴とする請求項１乃至６のいずれか１つに記載の発光装置。
【請求項８】
一対の入力端子を有し、前記一対の入力端子間への駆動電圧の供給により発光する少なくとも１つの可撓性の発光部と、
一対の出力端子を有し、光の照射を受けて前記一対の出力端子間に起電力を生じる少なくとも１つの可撓性の発電部と、
前記発光部と前記発電部とを互いに並置状態に保持しかつ封止する透光性を有する可撓性の封止シートと、
前記封止シートの一端に設けられた、前記一対の入力端子に接続された第１の一対の入力コネクタ及び前記一対の出力端子に接続された第１の一対の出力コネクタと、
前記封止シートの他端に設けられた、前記一対の入力端子に接続された第２の一対の入力コネクタ及び前記一対の出力端子に接続された第２の一対の出力コネクタと、を有することを特徴とする発光装置用ブロック。
【請求項９】
前記第１の一対の入力コネクタ及び前記第１の一対の出力コネクタは、それぞれ前記第２の一対の入力コネクタ及び前記第２の一対の出力コネクタに接続自在であることを特徴とする請求項８に記載の発光装置用ブロック
【請求項１０】
前記発光部及び前記発電部は扁平形状を有していることを特徴とする請求項８または９に記載の発光装置用ブロック。
【請求項１１】
前記発光部は、標識形状を有していることを特徴とする請求項８乃至１０のいずれか１つに記載の発光装置用ブロック。
【請求項１２】
標識形状を有して前記発光部の一部を被覆する遮光シートをさらに含むことを特徴とする請求項８乃至１０のいずれか１つに記載の発光装置用ブロック。
【請求項１３】
前記発光部は有機ＥＬ素子からなることを特徴とする請求項８乃至１２のいずれか１つに記載の発光装置用ブロック。
【請求項１４】
前記発電部は薄膜太陽電池からなることを特徴とする請求項８乃至１３のいずれか１つに記載の発光装置用ブロック。
【発明の詳細な説明】
【技術分野】
【０００１】
本発明は、発光装置に関し、特に有機ＥＬ（Electro Luminescence）素子を搭載した発光装置及び発光装置用ブロックに関する。
【背景技術】
【０００２】
昼間の気温が高い夏の間は、花火大会、お祭り、夜間の野外コンサート等、夜間に行われる野外イベントが多い。このような、夜間の野外イベントの会場においては、多数の人が集まり混雑が発生し、また夜間であるため、人々を安全に目的地に誘導するために路上の照明や発光標識が必要となる。【０００３】
従来の路面に設置される道路発光装置として、特許文献１には、薄膜発光体と、保護シートと、を備える道路標識表示装置が開示されている。【０００４】
また、引用文献２には、太陽電池、電気二重層コンデンサ、ＬＥＤ素子からなる回路を有する道路標識が開示されている。
【先行技術文献】
【特許文献】
【０００５】
【特許文献１】特開２００４−２７０４４３号公報
【特許文献２】特開２００６−２７４６８５号公報
【発明の開示】
【発明が解決しようとする課題】
【０００６】
特許文献１に示されている標識表示装置では、予め設置された別個の電源ユニットから、埋設されたケーブルを介して発光体に電源を供給しなければならない。従って、この標識表示装置は、例えば、移設自在ではなく、また設置場所には制限が生ずるという問題がある。【０００７】
また、特許文献２に示されている表示装置は、厚みを有している形状のため、人や車両の通行の妨げにならないようにするために、道路に埋設しなければならず、例えば、移設自在ではないというような問題が生ずる。【０００８】
本発明は、上記した点に鑑みてなされたものであり、例えば、屋外の電源設備のない場所で用いることができる可搬型の移設自在な発光装置を提供することを目的とする。
【課題を解決するための手段】
【０００９】
請求項１に記載の発明は、給電下において発光する少なくとも１つの可撓性の発光部と、光の照射を受けて起電力を生じる少なくとも１つの可撓性の発電部と、前記発光部へ給電するために前記発光部に接続されている第１の導電路と、前記発電部において生成された電力を取り出すために前記発電部に接続されている第２の導電路と、前記発光部、前記発電部、前記第１の導電路及び前記第２の導電路を封止する透光性を有する可撓性の封止シートと、を含むことを特徴とする
また、請求項８に記載の発明は、一対の入力端子を有し、前記一対の入力端子間への駆動電圧の供給により発光する少なくとも１つの可撓性の発光部と、一対の出力端子を有し、光の照射を受けて前記一対の出力端子間に起電力を生じる少なくとも１つの可撓性の発電部と、前記発光部と前記発電部とを互いに並置状態に保持しかつ封止する透光性を有する可撓性の封止シートと、前記封止シートの一端に設けられた、前記一対の入力端子に接続された第１の一対の入力コネクタ及び前記一対の出力端子に接続された第１の一対の出力コネクタと、前記封止シートの他端に設けられた、前記一対の入力端子に接続された第２の一対の入力コネクタ及び前記一対の出力端子に接続された第２の一対の出力コネクタと、を有することを特徴とする。
【図面の簡単な説明】
【００１０】
【図１Ａ】本発明の実施例１に係る発光装置の平面図である。
【図１Ｂ】本発明の実施例１に係る発光装置の断面図である。
【図１Ｃ】本発明の実施例１に係る発光装置の断面図である。
【図１Ｄ】本発明の実施例１に係る発光装置の等価回路図である。
【図２Ａ】本発明の発光装置に用いられる発光素子の層構造を示す図である。
【図２Ｂ】本発明の発光装置に用いられる太陽電池の層構造を示す図である。
【図３】本発明の発光装置の設置態様を示す図である。
【図４Ａ】本発明の実施例２に係る発光装置用ブロックを示す図である。
【図４Ｂ】本発明の実施例２に係る発光装置用ブロックの等価回路図である。
【図５Ａ】本発明の実施例２に係る発光装置用ブロックによって形成されている発光装置を示す図である。
【図５Ｂ】本発明の実施例２に係る発光装置用ブロックによって形成されている発光装置の等価回路図である。
【図６】本発明の変形例を示す図である。
【発明を実施するための形態】
【００１１】
【実施例１】
【００１２】
以下に、本発明の実施例１に係る発光装置１０について、図１Ａ−Ｄを参照しつつ説明する。図１Ａは、本発明の実施例１に係る発光装置１０の発光面側からみた平面図である。図１Ｂは、図１Ａにおける１Ｂ−１Ｂ線に沿った断面図である。図１Ｃは、図１Ａにおける１Ｃ−１Ｃ線に沿った断面図である。図１Ｄは、発光装置１０の等価回路図である。【００１３】
発光部１１は、給電下で発光する可撓性の有機ＥＬ発光素子からなり、矩形の平面形状を有する扁平な発光パネルである。発光部１１は、一定の間隔を空けて一列に並置されており、各々の発光部１１の間に発電部１３が配されている。【００１４】
発電部１３は、太陽光等の光の照射の下で起電力を生じる可撓性の薄膜アモルファスシリコン太陽電池パネルからなり、矩形の平面形状を有する扁平な発電パネルである。発光装置１０においては、各々４つの発光部１１及び発電部１３が同一平面内で１つずつ交互に一列に並置されている。また、発光部１１の発光面及び発電部１３の受光面は、発光装置１０の同一面側に形成されている。【００１５】
発光部への給電のための第１の導電路である導線１５及び発電部において生成された電力を取り出すための第２の導電路である導線１６は、可撓性を有し、導線１５は、発光部１１の各々を並列に接続しており、導線１６は、発電部１３の各々を並列に接続している。導線１５、１６の各々の端部には外部装置との接続のためのコネクタ１５Ａ及び１６Ａがそれぞれ形成されている。【００１６】
発光部１１、発電部１３及び導線１５及び１６は、可撓性を有する帯状の透光性封止シート１７によって全体として封止されている。封止シート１７は、例えば、塩化ビニル、ポリエチレン、ポリプロピレン等からなり、表裏２枚の封止シートの周辺端部を、各々接着剤による接着または熱圧着によって接合することによって形成されている。尚、周辺端部の一部が開いている袋状のシートを用いて、開いている周辺端部を接合して、発光部１１、発電部１３並びに導線１５及び１６を封止することとしてもよい。尚、コネクタ１５Ａ及び１６Ａは、外部との接続のために封止シート１７から露出している。【００１７】
上述のように、本発明による発光装置は、扁平な発光部１１及び扁平な発電部１３を封止シート１７内に並置して封止した、全体として扁平な形状を有しているので、人や車両の通行を妨げることなく路面上等に設置可能である。【００１８】
図１Ｄに示すように、導線１５及び１６は、これらのコネクタ１５Ａ及び１６Ａによって電源装置１９に接続することができる。電源装置１９は、充放電制御回路２１及び充電装置２３（例えば、リチウムイオン電池等の充電池、または電気二重層コンデンサ等のコンデンサ）を有し、発光装置１０は充放電制御回路２１を介して充電装置２３に接続されている。【００１９】
充放電制御回路２１は、発光部１１への給電電流をオンオフする第１のスイッチＳＷ１、発電部１３からの発電電流をオンオフするスイッチＳＷ２、発光部１１への給電電流を調節する可変抵抗器ＶＲ、及び発電部１３から出力され充電装置２３に入力される電圧を調節する電圧レギュレータ２５を有する。可変抵抗器ＶＲは、装置外部にあるつまみ等によって抵抗値を調節可能であるので、充電装置２３からの給電によって発光部１１を駆動する際の発光部１１の光量が調節自在である。電圧レギュレータ２５は、発電部１３を用いて充電装置２３を充電する際に、太陽光の強弱の変化によって太陽電池の起電力等に変化があっても充電装置２３を効率良く充電しかつ過充電が発生しないように、充電装置２３に入力される電圧を調整するように構成されている。【００２０】
図２Ａは本発明の発光装置１０の発光部１１に用いられている有機ＥＬ素子の層構造を示し、図２Ｂは本発明の発光装置１０の発電部１３に用いられている太陽電池の層構造を示している。【００２１】
発光部１１に使用される有機ＥＬ素子は、基部として、ポリエチレンテレフタラート（ＰＥＴ）、ポリカーボネート（ＰＣ）等の可撓なプラスチックフィルム層３１を有する。フィルム層３１の上には、アルミニウム、銀、マグネシウム等の金属電極３３が形成されている。金属電極３３の上には、有機発光層３５が積層されており、その上にＩＴＯ（スズドープ酸化インジウム）等の透明電極３７が形成されている。【００２２】
発電部１３に使用される太陽電池は、基部として、ポリエチレンテレフタラート（ＰＥＴ）、ポリエチレンナフタレート（ＰＥＮ）等の可撓なフィルム４１を有する。フィルム層４１の上には、アルミニウム、銀、マグネシウム等の金属電極４３、ｎ型アモルファスシリコン層４５、ｉ型アモルファスシリコン層４７、ｐ型アモルファスシリコン層４８が積層されており、最上層にはＩＴＯ等の透明電極４９が形成されている。【００２３】
図３は、本発明の実施例１に係る発光装置１０の使用形態を示す図である。【００２４】
図３に示すように、発光装置１０は、丸められている（または折り畳まれている）状態から伸展させられて、発光部１１の発光面及び発電部１３の受光面が上方を向くように路上に敷設される。導線１５及び１６は、その端部コネクタ１５Ａ及び１６Ａを介して電源装置１９に接続される。【００２５】
昼間において、発光装置１０に太陽光が照射されて発電部１３のアモルファスシリコン太陽電池が太陽光を受光することで、発電部１３において発電が行われる。発電部１３において発電された電力は、導線１６及びコネクタ１６Ａに接続されている充放電制御回路２１を介して充電装置２３に充電される（充電モード）。【００２６】
夜間において、発光部１１は、充放電制御回路２１及び導線１５を介して充電装置２３から電力の供給を得て発光する（発光モード）。【００２７】
本発明による発光装置は、給電下において発光する少なくとも１つの可撓性の発光部と、光の照射を受けて起電力を生じる少なくとも１つの可撓性の発電部と、発光部へ給電するために発光部に接続されている第１の導電路と、発電部において生成された電力を取り出すために発電部に接続されている第２の導電路と、発光部、発電部、第１の導電路及び第２の導電路を封止する可撓性の封止シートと、を有している。かかる構成により、例えば、昼間は発電部によって発電された電力を蓄電しておき、夜間は蓄えられた電力を用いて発光部を発光させることで、電源設備の無い場所においても動作可能である。また、全体として可撓性を有しているので、例えば、凹凸のある路面等に自由に設置でき、折り曲げたり巻き取ったりすることで容易に持ち運んで移設を行うことが可能である。従って、例えば、夜間の野外イベントの会場等の暗い場所に本発明の発光装置を順路に沿って配置して発光させることによって、電源設備の無い場所においても人々を安全に誘導することが可能である。
【実施例２】
【００２８】
以下に、本発明の実施例２に係る発光装置用ブロック５０について、図４Ａ及び図４Ｂを参照しつつ説明する。図４Ａは、本発明の実施例１に係る発光装置用ブロック５０の発光面側からみた平面図である。図４Ｂは、発光装置用ブロック５０の等価回路である。【００２９】
発光装置用ブロック５０は、図１Ａに示している発光装置１０の破線に挟まれている部分に相当する単位ブロックである。具体的には、図４Ａ及び図４Ｂに示すように、発光装置用ブロック５０は、実施例１に係る発光装置１０に用いられているのと同じ発光部１１及び発電部１３を各々１つずつ有している。第１の一対の導線５５は、発光部１１の一対の入力端子に各々接続されている。第２の一対の導線５６は、発電部１３の一対の出力端子に各々接続されている。【００３０】
発光部１１、発電部１３及び導線５５、５６は、発光装置１０に用いられているのと同様の透光性を有する可撓性の封止シート５７によって封止されている。【００３１】
導線５５及び５６の端部には、封止シート５７の一端において、第１の一対の導線５５に接続されている第１の一対の入力コネクタ５５Ａ及び第２の一対の導線５６に接続されている第１の一対の出力コネクタ５６Ａが形成され、他端において、第１の一対の導線５５に接続されている第２の一対の入力コネクタ５５Ｂ及び第２の一対の導線５６に接続されている第２の一対の出力コネクタ５６Ｂが形成されている。コネクタ５５Ａ及び５６Ａは、発光装置用ブロック５０の外部に突出している、いわゆるオスコネクタである。コネクタ５５Ｂ及び５６Ｂは、発光装置用ブロック５０の内部に向けて凹状に形成されている、いわゆるメスコネクタである。導線５５及び５６は、一方の発光装置用ブロック５０のコネクタ５５Ａ及びコネクタ５６Ａと他方の発光装置用ブロック５０のコネクタ５５Ｂ及びコネクタ５６Ｂとが接続された際に、発光部１１同士及び発電部１３同士が並列接続になるように構成されている。【００３２】
コネクタ５５Ａ、５５Ｂ、５６Ａ及び５６Ｂは、外部機器及び他の発光装置５０との接続のために封止シート５７から露出している。【００３３】
図５Ａは、発光装置用ブロック５０を連結して形成した発光装置を示している。図５Ｂは、当該発光装置の等価回路を示している。このように、コネクタ５５Ａ及び５６Ａをコネクタ５５Ｂ及び５６Ｂに挿入して接続し、発光装置用ブロック５０を間隙無く接合配列することによって所望の数のブロックからなる発光装置を形成可能である。充放電制御回路及び充電装置を備える装置（図示せず）は、コネクタ５５Ａ及び５６Ａまたは５５Ｂ及び５６Ｂに接続される。【００３４】
尚、発光装置用ブロック５０は、各々１つずつの発光部と発電部とから構成されているが、例えば、発光部２つと発電部１つまたは発光部２つと発電部２つ等様々な構成が可能である。【００３５】
本発明の発光装置用ブロックは、一対の入力端子を有し、当該一対の入力端子間への駆動電圧の供給により発光する少なくとも１つの可撓性の発光部と、一対の出力端子を有し、光の照射を受けて当該一対の出力端子間に起電力を生じる少なくとも１つの可撓性の発電部と、発光部と発電部とを互いに並置状態に保持しかつ封止する透光性を有する可撓性の封止シートと、封止シートの一端に設けられた、一対の入力端子に接続された第１の一対の入力コネクタ及び一対の出力端子に接続された第１の一対の出力コネクタと、封止シートの他端に設けられた、一対の入力端子に接続された第２の一対の入力コネクタ及び一対の出力端子に接続された第２の一対の出力コネクタと、を有している。かかる構成により、例えば、昼間は発電部によって発電された電力を蓄電しておき、夜間は蓄えられた電力を用いて発光部を発光させることで、電源設備の無い場所においても動作可能である。また、全体として可撓性を有しているので、例えば、凹凸のある路面等に自由に設置でき、折り曲げたり巻き取ったりすることで容易に持ち運んで移設を行うことが可能である。また、例えば、所望の数のブロックからなる発光装置を形成可能である。【００３６】
上記した実施例においては、発光部１１及び発電部１３は、各々並列接続することとしているが、必要に応じて直列接続としてもよい。【００３７】
また、充放電制御回路２１及び充電装置２３を発光装置の封止シート１７内に封止して、発光装置内に一体化させてもよい。充放電制御回路及び充電装置を発光装置と一体化することによって、例えば、全く外付けの装置への接続を必要とせずに発光装置を敷設することが可能となり、設置容易性及び搬送容易性がさらに高まることになる。【００３８】
また、発光部１１の形状を矩形以外の他の形状にするかまたは発光部１１の発光面の一部を遮光性フィルムで覆う等して、矩形以外の発光表示を行うことも可能である。例えば、図６に示す発光部１１Ａのように、発光部を矢印形状にするかまたは数字形状等にすることによって、または矢印や数字等を表示するように発光部を遮光シートで被覆することによって多様な標識を構成することも可能である。【００３９】
さらに、上記実施例においては、発光部１１を有機ＥＬ素子、発電部１３をアモルファスシリコン太陽電池としたが、発光部１１には可撓性を有する任意の発光体、例えば無機ＥＬ素子が使用可能であり、発電部１３には可撓性を有する任意の発電体が使用可能である。発電部１３に使用可能な発電体としては、例えば、微結晶シリコン型太陽電池、ＣＩＳ系・ＣＩＧＳ系太陽電池もしくはＣｄＴｅ型太陽電池等の化合物系太陽電池、または有機薄膜太陽電池等の有機系太陽電池がある。【００４０】
上述した実施例における種々の材料、構成、形状等は、例示に過ぎず、用途等に応じて、適宜選択することができる。                                          
【符号の説明】
【００４１】
１０                              発光装置
１１、１１Ａ                      発光部
１３                              発電部
１５、１６                        導線
１５Ａ、１６Ａ                    コネクタ
１７                              封止シート
１９                              電源装置
２１                              充放電制御回路
２３                              充電装置
２５                              電圧レギュレータ
５０                              発光装置用ブロック
５５、５６                        導線
５５Ａ、５５Ｂ、５６Ａ、５６Ｂ    コネクタ
ＳＷ１、ＳＷ２                    スイッチ
ＶＲ                              可変抵抗
【図１Ａ】
2012157075.tif 000003
【図１Ｂ】
2012157075.tif 000004
【図１Ｃ】
2012157075.tif 000005
【図１Ｄ】
2012157075.tif 000006
【図２Ａ】
2012157075.tif 000007
【図２Ｂ】
2012157075.tif 000008
【図３】
2012157075.tif 000009
【図４Ａ】
2012157075.tif 000010
【図４Ｂ】
2012157075.tif 000011
【図５Ａ】
2012157075.tif 000012
【図５Ｂ】
2012157075.tif 000013
【図６】
2012157075.tif 000014
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
一対の入力端子を有し、前記一対の入力端子間への駆動電圧の供給により発光する少なくとも１つの可撓性の発光部と、
一対の出力端子を有し、光の照射を受けて前記一対の出力端子間に起電力を生じる少なくとも１つの可撓性の発電部と、
前記発光部と前記発電部とを互いに並置状態に保持しかつ封止する透光性を有する可撓性の封止シートと、
前記封止シートの一端に設けられた、前記一対の入力端子に接続された第１の一対の入力コネクタ及び前記一対の出力端子に接続された第１の一対の出力コネクタと、
前記封止シートの他端に設けられた、前記一対の入力端子に接続された第２の一対の入力コネクタ及び前記一対の出力端子に接続された第２の一対の出力コネクタと、を有することを特徴とする発光装置用ブロック。
【請求項９】
前記第１の一対の入力コネクタ及び前記第１の一対の出力コネクタは、それぞれ前記第２の一対の入力コネクタ及び前記第２の一対の出力コネクタに接続自在な形状であることを特徴とする請求項８に記載の発光装置用ブロック。
【請求項１０】
前記発光部及び前記発電部は扁平形状を有していることを特徴とする請求項８または９に記載の発光装置用ブロック。
【請求項１１】
前記発光部は、標識形状を有していることを特徴とする請求項８乃至１０のいずれか１つに記載の発光装置用ブロック。
【請求項１２】
標識形状を有して前記発光部の一部を被覆する遮光シートをさらに含むことを特徴とする請求項８乃至１０のいずれか１つに記載の発光装置用ブロック。
【請求項１３】
前記発光部は有機ＥＬ素子からなることを特徴とする請求項８乃至１２のいずれか１つに記載の発光装置用ブロック。
【請求項１４】
前記発電部は薄膜太陽電池からなることを特徴とする請求項８乃至１３のいずれか１つに記載の発光装置用ブロック。
【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
一対の入力端子を有し、前記一対の入力端子間への駆動電圧の供給により発光する少なくとも１つの可撓性の発光部と、
一対の出力端子を有し、光の照射を受けて前記一対の出力端子間に起電力を生じる少なくとも１つの可撓性の発電部と、
前記発光部と前記発電部とを互いに並置状態に保持しかつ封止する透光性を有する可撓性の封止シートと、
前記封止シートの一端に設けられた、前記一対の入力端子に接続された第１の一対の入力コネクタ及び前記一対の出力端子に接続された第１の一対の出力コネクタと、
前記封止シートの他端に設けられた、前記一対の入力端子に接続された第２の一対の入力コネクタ及び前記一対の出力端子に接続された第２の一対の出力コネクタと、を有することを特徴とする発光装置用ブロック。
【請求項２】
前記第１の一対の入力コネクタ及び前記第１の一対の出力コネクタは、それぞれ前記第２の一対の入力コネクタ及び前記第２の一対の出力コネクタに接続自在な形状であることを特徴とする請求項１に記載の発光装置用ブロック。
【請求項３】
前記発光部及び前記発電部は扁平形状を有していることを特徴とする請求項１または２に記載の発光装置用ブロック。
【請求項４】
前記発光部は、標識形状を有していることを特徴とする請求項１乃至３のいずれか１つに記載の発光装置用ブロック。
【請求項５】
標識形状を有して前記発光部の一部を被覆する遮光シートをさらに含むことを特徴とする請求項１乃至３のいずれか１つに記載の発光装置用ブロック。
【請求項６】
前記発光部は有機ＥＬ素子からなることを特徴とする請求項１乃至５のいずれか１つに記載の発光装置用ブロック。
【請求項７】
前記発電部は薄膜太陽電池からなることを特徴とする請求項１乃至６のいずれか１つに記載の発光装置用ブロック。
【国際調査報告】
2012157075.tif 000015
2012157075.tif 000016
2012157075.tif 000017
2012157075.tif 000018